(57)【要約】【課題】予め定められた上限数を超える遊技球が入賞口に入ることを抑制することが可能な遊技機の提供を目的とする。【解決手段】本発明のパチンコ遊技機１０は、遊技板１１の前面に開口した横長の大入賞口４１Ａと、大入賞口４１Ａを開閉する大開閉扉４２と、大入賞口４１Ａの後方に設けられ、遊技球を受容する横長の大入賞室４１と、大入賞室４１の底部に配置された検出孔４７Ｂを有しその検出孔４７Ｂを通過した遊技球を検出する検出スイッチ４７とを備え、大入賞室４１の底部のうち左右方向の中央部に陥没部４３を形成して、陥没部４３の底面に検出孔４７Ｂが複数横並びになるように複数の検出スイッチ４７を配置し、大入賞室４１の底部のうち陥没部４３の両横には、陥没部４３に向かって下るように傾斜し、大開閉扉４２から遊技球を受け入れて陥没部４３に案内する１対の室内転動面４４，４４が設けられている。【選択図】図５
2014204765.tif 000002
【特許請求の範囲】
【請求項１】
遊技球が前面を流下する遊技板と、
前記遊技板の前面を流下する遊技球が進入可能な入賞口と、
前記入賞口を閉塞した閉塞位置と、前記入賞口を開放した開放位置との間で移動する開閉扉と、
前記入賞口の奥側に設けられ、遊技球を受容する入賞室と、
前記入賞室の底部に配置されると共に遊技球が通過可能な検出孔を有し、その検出孔を通過した遊技球を検出する検出スイッチとを備えた遊技機において、
前記入賞室の底部のうち左右方向の中央部に陥没部を形成して、前記陥没部の底面に前記検出孔が複数横並びになるように複数の前記検出スイッチを配置し、
前記入賞室の底部のうち前記陥没部の両横には、前記陥没部に向かって下るように傾斜し、遊技球を前記陥没部に案内する１対の室内転動面が設けられたことを特徴とする遊技機。
【請求項２】
前記陥没部の内側面は、鉛直面となって前記室内転動面の終端部に交差していることを特徴とする請求項１に記載の遊技機。
【請求項３】
前記検出スイッチは、矩形板状のスイッチ本体の一端寄り位置に前記検出孔を有した構造をなしかつ対をなして設けられ、前記スイッチ本体における前記検出孔側の端部同士を左右方向で突き合わせて配置されたことを特徴とする請求項１又は２に記載の遊技機。
【請求項４】
１対の前記検出孔の真下に球排出ダクトを備えると共に、前記球排出ダクト内の左右方向の中央に仕切壁を設け、前記球排出ダクト内を前記１対の検出孔に連通した１対の球排出通路に区画したことを特徴とする請求項３に記載の遊技機。
【請求項５】
前記入賞室の奥面は、左右方向の両端部から中央部に向かうに従って前記入賞室の奥行きが大きくなるように傾斜又は湾曲していることを特徴とする請求項１乃至４の何れか１の請求項に記載の遊技機。
【発明の詳細な説明】
【技術分野】
【０００１】
本発明は、遊技球が進入可能な入賞口を、開閉扉によって開閉することが可能な遊技機に関する。
【背景技術】
【０００２】
この種の従来の遊技機は、所定条件が成立した場合に開閉扉が前側に倒れて入賞口が開放し、その開閉扉で受け止めた遊技球を入賞口の後方の入賞室に受容すると共に、入賞室に受容した遊技球を、入賞室の底面に設けた検出孔から排出するようになっていた。また、検出孔を通過した遊技球を検出スイッチで検出し、その検出回数、即ち、入賞口への入球数が予め定められた上限数に達したことを条件にして開閉扉が閉じるように構成されていた（例えば、特許文献１参照）。
【先行技術文献】
【特許文献】
【０００３】
【特許文献１】特開２００３−２１０７７９号公報（段落［００２９］、第３図）
【発明の概要】
【発明が解決しようとする課題】
【０００４】
ところが、上述した従来の遊技機では、例えば、検出孔へと接近した遊技球同士が検出孔の付近で衝突して互いに跳ね返ることで、検出孔への転入が遅れることがあった。このため、入賞口に入ってから検出スイッチで検出されるまでのタイムラグが大きくなることがあり、本来ならば、予め定められた上限数の遊技球が入賞口に入った直後に閉鎖するべき開閉扉が閉鎖せずに、上限数を超える遊技球が入賞口に入ってしまうことがあった。このような事象は、遊技者の間で「オーバー入賞」として広く知られており、近年、オーバー入賞を狙う遊技者の増加によって、遊技店が被る損失が増大していた。
【０００５】
本発明は、上記事情に鑑みてなされたものであって、予め定められた上限数を超える遊技球が入賞口に入ることを抑制することが可能な遊技機の提供を目的とする。
【課題を解決するための手段】
【０００６】
上記目的を達成するためになされた請求項１の発明に係る遊技機は、遊技球が前面を流下する遊技板と、遊技板の前面を流下する遊技球が進入可能な入賞口と、入賞口を閉塞した閉塞位置と、入賞口を開放した開放位置との間で移動する開閉扉と、入賞口の奥側に設けられ、遊技球を受容する入賞室と、入賞室の底部に配置されると共に遊技球が通過可能な検出孔を有し、その検出孔を通過した遊技球を検出する検出スイッチとを備えた遊技機において、入賞室の底部のうち左右方向の中央部に陥没部を形成して、陥没部の底面に検出孔が複数横並びになるように複数の検出スイッチを配置し、入賞室の底部のうち陥没部の両横には、陥没部に向かって下るように傾斜し、遊技球を陥没部に案内する１対の室内転動面が設けられたところに特徴を有する。
【０００７】
請求項２の発明は、請求項１に記載の遊技機において、陥没部の内側面は、鉛直面となって室内転動面の終端部に交差しているところに特徴を有する。
【０００８】
請求項３の発明は、請求項１又は２に記載の遊技機において、検出スイッチは、矩形板状のスイッチ本体の一端寄り位置に検出孔を有した構造をなしかつ対をなして設けられ、スイッチ本体における検出孔側の端部同士を左右方向で突き合わせて配置されたところに特徴を有する。
【０００９】
請求項４の発明は、請求項３に記載の遊技機において、１対の検出孔の真下に球排出ダクトを備えると共に、球排出ダクト内の左右方向の中央に仕切壁を設け、球排出ダクト内を１対の検出孔に連通した１対の球排出通路に区画したところに特徴を有する。
【００１０】
請求項５の発明は、請求項１乃至４の何れか１の請求項に記載の遊技機において、入賞室の奥面は、左右方向の両端部から中央部に向かうに従って入賞室の奥行きが大きくなるように傾斜又は湾曲しているところに特徴を有する。
【発明の効果】
【００１１】
［請求項１の発明］
請求項１の発明によれば、開閉扉が開放位置となって入賞口に進入した遊技球は、入賞室の左右両側に形成された室内転動面に乗り移ってから陥没部へと落下するか、或いは、直接、陥没部へと落下する。陥没部に落下した遊技球は、陥没部の底面に横並びに設けられた複数の検出孔のどれかを通過して検出スイッチに検出されて、入賞口への入球数がカウントされる。
【００１２】
ここで、検出孔は、室内転動面よりも低い陥没部の底面に設けられているから、検出孔へと接近した遊技球同士が衝突したとしても、衝突後のそれら遊技球を陥没部内、即ち、検出孔の近辺に留めることができ、入賞口に入った遊技球を従来よりも速やかに検出スイッチにて検出することができる。これにより、予め定めた上限数を超える遊技球が入賞口に入ることを抑制することができ、遊技店が被る損失を軽減することができる。
【００１３】
［請求項２の発明］
請求項２の発明によれば、陥没部の内側面が鉛直面となって室内転動面の終端部に交差しているから、陥没部内で衝突した遊技球が、それら鉛直面を乗り越えて陥没部の外に出ることをより抑制することができる。
【００１４】
［請求項３の発明］
請求項３の発明によれば、検出スイッチは、矩形板状のスイッチ本体の一端寄り位置に検出孔を備えた構造をなしかつ対をなして設けられ、スイッチ本体における検出孔側の端部同士を左右方向で突き合わせて配置されているから、前後方向への検出スイッチの出っ張りを抑えることができる。
【００１５】
［請求項４の発明］
請求項４の発明によれば、１対の各検出孔に転入した遊技球は、仕切壁で仕切られた別々の球排出通路を通過するから、検出孔を通過した後も遊技球同士の接触を回避することができ、遊技球をスムーズに排出することができる。
【００１６】
［請求項５の発明］
請求項５の発明によれば、入賞室の奥面は、左右方向の両端部から中央部に向かうに従って入賞室の奥行きが大きくなるように傾斜又は湾曲しているから、その傾斜又は湾曲した奥面と室内転動面の傾斜とによって、遊技球をより速やかに陥没部に落下させることができる。
【図面の簡単な説明】
【００１７】
【図１】本発明の一実施形態に係るパチンコ遊技機の正面図
【図２】遊技板の正面図
【図３】大入賞口が閉鎖された状態の大入賞部の斜視図
【図４】大入賞口が開放した状態の大入賞部の斜視図
【図５】大入賞扉を取り外した状態の大入賞部の斜視図
【図６】大入賞部の側断面図
【図７】大入賞部の平断面図
【図８】大入賞部の背面図
【発明を実施するための形態】
【００１８】
以下、本発明を適用したパチンコ遊技機１０に係る一実施形態を、図１〜図８に基づいて説明する。図１に示すように、パチンコ遊技機１０は、遊技球が流下可能な略円形の遊技領域Ｒ１を備え、その遊技領域Ｒ１をパチンコ遊技機１０の前面から視認可能となっている。遊技領域Ｒ１には、液晶表示装置１５が配置されており、液晶表示装置１５の周囲には、入賞ゲート１６、風車１７及び複数の入賞部１８，２２，２３，４０が配置されている。
【００１９】
遊技領域Ｒ１の下方には、遊技球を貯留可能な上皿１２及び下皿１３が上下二段にして設けられている。下皿１３の右側方には、発射操作ノブ１４が備えられ、この発射操作ノブ１４を回動操作することで、図示しない発射装置から遊技領域Ｒ１に向かって遊技球が発射される。遊技領域Ｒ１を流下する遊技球が、遊技領域Ｒ１に配置された各種入賞部１８，２２，２３，４０に入球すると、賞球として所定数の遊技球が上皿１２に払い出される。また、入賞部１８，２３への入球を契機として、液晶表示装置１５では表示演出が行われる。
【００２０】
図２には、遊技領域Ｒ１を前面に備えた遊技板１１が示されている。液晶表示装置１５は、遊技領域Ｒ１の向かって右上側に偏って配置されている。液晶表示装置１５は、表示装飾枠１５Ｗの奥側に液晶画面１５Ｇを備えている。表示装飾枠１５Ｗの上辺及び左右両側辺は、遊技板１１の前面から突出しているのに対し、表示装飾枠１５Ｗの下辺は遊技板１１の前面より奥まっており、その上面は、遊技球が転動可能なステージ１５Ｓとなっている。ステージ１５Ｓは、左右両端部から中央部に向かって下り傾斜しており、表示装飾枠１５Ｗの左側辺には、表示装飾枠１５Ｗの側方を流下する遊技球を、ステージ１５Ｓへと誘導するための誘導通路１５Ｔが設けられている。誘導通路１５Ｔから放出された遊技球は、ステージ１５Ｓ上を左右に往復動した後、ステージ１５Ｓの中央部から流下する。
【００２１】
液晶表示装置１５の右側方には入賞ゲート１６が設けられている。入賞ゲート１６は上下方向に貫通した門形構造をなし、遊技球が１つずつ通過可能となっている。
【００２２】
液晶表示装置１５におけるステージ１５Ｓの中央部下方には、第１始動入賞部１８が配置されている。第１始動入賞部１８は上面が開放したポケット構造をなしている。
【００２３】
第１始動入賞部１８の右側方には、大入賞部４０が設けられている。大入賞部４０は、遊技板１１の前面に開放した横長の大入賞口４１Ａ（本発明の「入賞口」に相当する）を備え、その大入賞口４１Ａが横長の大入賞扉４２（本発明の「開閉扉」に相当する）によって開閉可能となっている。大入賞扉４２は、大入賞口４１Ａの下端部を中心にして回動可能となっており、常には、図３に示す起立姿勢（本発明の「閉塞位置」に相当する）に保持されて、大入賞口４１Ａを閉鎖している。また、大入賞扉４２は、所定の条件が成立した場合（例えば、第１始動入賞部１８又は後述する第２始動入賞部２３への入賞時に行われた大当たり抽選で当選した場合）に、図示しないソレノイドによって前側に倒されて、図４に示す前倒れ姿勢（本発明の「開放位置」に相当する）となり、大入賞口４１Ａを開放する。このとき、大入賞扉４２が遊技領域Ｒ１を流下する遊技球を受け止めて大入賞口４１Ａへと誘導する。また、大入賞口４１Ａの開放は、所定の終了条件が成立するまで継続される。具体的には、大入賞扉４２の開放時間が３０秒に達したか、又は、大入賞口４１Ａへの入球数が予め定められた上限数（例えば、１０個）になったかの何れかの条件が先に満たされた場合に終了条件が成立して、大入賞扉４２が大入賞口４１Ａを閉鎖する。なお、大入賞扉４２のうち、前倒れ姿勢となったときに遊技球を受け止める内面の両側部には、受け止めた遊技球の落下を規制するサイド突壁４２Ａ，４２Ａが形成されている。
【００２４】
図２に示すように、大入賞部４０の右側には、普通入賞部２２が１つ設けられている。また、第１始動入賞部１８を挟んで大入賞部４０とは反対側には、複数（３つ）の普通入賞部２２，２２が並んで配置されている。これら普通入賞部２２は、第１始動入賞部１８と同様に上面が開放したポケット構造をなしている。
【００２５】
第１始動入賞部１８の下方には、第２始動入賞部２３が設けられている。第２始動入賞部２３は、遊技板１１の前面に開放した始動入賞口２３Ａを備え、常には、その始動入賞口２３Ａが矩形の始動入賞扉２４にて閉鎖されている。始動入賞扉２４は、所定の条件が成立した場合（例えば、入賞ゲート１６への入賞時に行われた小当たり抽選で当選した場合）に前側に倒れて始動入賞口２３Ａが開放し、その倒れた始動入賞扉２４を案内にして始動入賞口２３Ａに遊技球が進入可能となっている。
【００２６】
第２始動入賞部２３の下方とその左右両側には、それぞれ独立した３つのアウト口１９が設けられている。上述した何れの入賞部１８，２２，２３，４０にも入らずに遊技領域Ｒ１の下端部まで達した遊技球は、これらアウト口１９によって遊技板１１の裏側に回収される。
【００２７】
第１始動入賞部１８と第２始動入賞部２３との間には、可動装飾装置３０が設けられている。可動装飾装置３０は、所定の条件が成立した場合（例えば、第１始動入賞部１８に遊技球が入賞した場合）に作動する。
【００２８】
ところで、本実施形態のパチンコ遊技機１０では、大入賞部４０に対して本発明が適用されている。図５に示すように、大入賞部４０は、大入賞口４１Ａの後方に大入賞室４１（本発明の「入賞室」に相当する）を備えている。大入賞室４１は、左右方向に延びた横長構造をなしており、遊技板１１の前面に対して後方に陥没している。大入賞室４１の底部のうち、左右方向の中央部は、左右方向の両側部に対して段付き状に陥没した陥没部４３となっており、その陥没部４３の両横には、陥没部４３に向かうに従って下り傾斜した室内転動面４４，４４が設けられている。室内転動面４４，４４は、前倒れ姿勢のときの大入賞扉４２の内面との間に殆ど段差が生じないように構成されており、大入賞扉４２から室内転動面４４，４４へと遊技球がスムーズに乗り移ることが可能となっている。
【００２９】
陥没部４３における左右両側の内側面４３Ａ，４３Ａは、共に鉛直面となって室内転動面４４，４４の終端部と交差している。また、室内転動面４４と陥没部４３の底面との高低差は、例えば、遊技球の半径以上となっており、陥没部４３から室内転動面４４，４４への遊技球の移動が不可能となっている。
【００３０】
図７に示すように、大入賞室４１の奥面のうち、左右方向の両側部には、中央部に向かうに従って大入賞室４１の奥行きが大きくなるように傾斜した傾斜面４５Ａ，４５Ａが形成されている。また、大入賞室４１の奥面のうち、左右方向の中央部は、遊技板１１の前面と平行に延びた平坦面４５Ｂとなっている。また、奥面における１対の傾斜面４５Ａ，４５Ａと平坦面４５Ｂとの境界が、１対の室内転動面４４，４４の後方に配置されている。さらに、大入賞室４１の天井面４１Ｂは、大入賞室４１の奥行き方向（パチンコ遊技機１０の前後方向）の中間部より前側が水平となっており、中間部より奥側が斜め下方に傾斜して平坦面４５と交差している。
【００３１】
陥没部４３には、その底壁を上下方向に貫通した１対の球排出口４３Ｂ，４３Ｂが形成されている。球排出口４３Ｂ，４３Ｂは、左右方向に並んで配置されており、それぞれ遊技球が通過可能な矩形状をなしている。また、陥没部４３の底壁のうち、１対の球排出口４３Ｂ，４３Ｂの間で大入賞室４１の奥行き方向に延びた中間壁４３Ｃの上面は、その両側の球排出口４３Ｂ，４３Ｂに向かって緩やかに下り傾斜している（図５参照）。なお、中間壁４３Ｃを畝状に隆起させてもよい。
【００３２】
図６に示すように、大入賞室４１の下方には、大入賞室４１への入球数をカウントするための検出スイッチ４７，４７が配置されている。これら検出スイッチ４７，４７は、矩形板状のスイッチ本体４７Ａの一端寄り位置に、円形の検出孔４７Ｂを備えた構造をなしている。また、各検出スイッチ４７，４７は、それぞれ陥没部４３の底壁下面に宛がって固定されており（図８参照）、検出スイッチ４７の検出孔４７Ｂと球排出口４３Ｂとが上下方向で整合している。１対の検出スイッチ４７，４７は、スイッチ本体４７Ａにおける検出孔４７Ｂ側の端部同士を左右方向で突き合わせた状態で配置されており、スイッチ本体４７Ａのうち、検出孔４７Ｂとは反対側の他端側が室内転動面４４の真下に配置されている（図８参照）。
【００３３】
図６に示すように、大入賞室４１の下方には、１対の検出孔４７Ｂ，４７Ｂの真下で遊技板１１の後方に湾曲した球排出ダクト４９が備えられている。球排出ダクト４９は、横長の角筒状をなしており、１対の検出孔４７Ｂ，４７Ｂの真下に、１対の球入口４９Ａ，４９Ａ（図８参照）を備えている。また、球排出ダクト４９のうち左右方向の中間部には、仕切壁５０が設けられており、その仕切壁５０を挟んだ両側に、角筒状をなした１対の球排出通路５１，５２が併設されている。そして、大入賞室４１に入賞した遊技球は、検出孔４７Ｂと、その検出孔４７Ｂに連通した球排出通路５１とを通って、大入賞部４０の外部に排出される。
【００３４】
本実施形態の構成は以上である。次に本実施形態の作用を説明する。遊技領域Ｒ１に打ち込まれた遊技球は、遊技領域Ｒ１に配置された障害釘、表示装飾枠１５Ｗ、風車１７等に接触して、ランダムな経路で流下する。遊技球が入賞ゲート１６を通過すると小当たり抽選が行われる。小当たり抽選に当選すると、第２始動入賞部２３に備えた始動入賞扉２４が前側に倒れて始動入賞口２３Ａが開放し、始動入賞扉２４を案内にして始動入賞口２３Ａに遊技球が入賞可能となる。また、第１始動入賞部１８又は第２始動入賞部２３に遊技球が入賞すると、大当たり抽選が行わる。大当たり抽選に当選すると、大入賞部４０に備えた大入賞扉４２が、図３に示す起立姿勢から、図４に示す前倒れ姿勢へと変化して大入賞口４１Ａが開放し、大入賞扉４２を案内にして大入賞室４１に遊技球が入球可能となる。
【００３５】
大入賞扉４２に案内された遊技球は、大入賞扉４２から室内転動面４４に乗り移ってから陥没部４３へと落下するか、或いは、大入賞扉４２から直接、陥没部４３へと落下する。詳細には、大入賞扉４２の右寄り部分で受け止められた遊技球は、右側の室内転動面４４へと乗り移り、室内転動面４４と傾斜面４５Ａの案内によって左側に転がる。そして、陥没部４３の右側縁部から垂直落下して、多くは右側の検出孔４７Ｂに転入する。一方、大入賞扉４２の左寄り部分で受け止められた遊技球は、左側の室内転動面４４へと乗り移ってから右側に転がり、陥没部４３の左側縁部から垂直落下して、多くは左側の検出孔４７Ｂに転入する。また、大入賞扉４２の中央部分で受け止められた遊技球は、大入賞扉４２の内面の傾斜によって陥没部４３の前方から垂直落下し、多くは落下地点に近い方の検出孔４７Ａに転入する。
【００３６】
検出孔４７Ｂを通過した遊技球は、検出スイッチ４７によって検出され、その検出回数によって、大入賞室４１への入球数がカウントされる。また、検出スイッチ４７を通過した遊技球は、各検出孔４７Ｂに連通した各球排出通路５１を通って、遊技板１１の後方に回収される。そして、大入賞室４１への入球数（検出スイッチ４７，４７による検出回数の合計）が予め定められた上限数になると、大入賞扉４２が、図４に示す前倒れ姿勢から、図３に示す起立姿勢に戻されて、大入賞口４１Ａが閉鎖される。
【００３７】
ところで、検出孔４７Ｂ，４７Ｂは、大入賞扉４２の内面や室内転動面４４よりも一段低い陥没部４３の底面に横並びに設けられているから、検出孔４７Ｂへと接近した遊技球同士が衝突したとしても、衝突後のそれら遊技球を陥没部４３内、即ち、検出孔４７Ｂ，４７Ｂの付近に留めることができ、大入賞室４１に入った遊技球を、従来よりも速やかに検出スイッチ４７にて検出することができる。これにより、予め定められた上限数を超える遊技球が大入賞室４１に入ること（所謂、オーバー入賞）を抑制することができ、遊技店が被る損失を軽減することができる。また、陥没部４３を設け、その底面に検出孔４７Ｂを設けたことで、検出孔４７Ｂでの球詰まりを防止することができる。
【００３８】
また、陥没部４３の左右両側の内側面４３Ａ，４３Ａが鉛直面であるから、衝突した遊技球がそれら内側面４３Ａ，４３Ａを乗り越えて陥没部４３の外に出ることを抑制することができる。
【００３９】
また、１対の検出孔４７Ｂ，４７Ｂに転入した遊技球は、仕切壁５０で仕切られた別々の球排出通路５１，５１を通過するから、検出孔４７Ｂを通過した後も、遊技球同士の接触を回避することができ、スムーズに排出することができる。また、球排出通路５１，５１を構成する球排出ダクト４９は、１対の検出孔４７Ｂ，４７Ｂの真下で後方に湾曲しているから、検出孔４７Ｂの真下位置から速やかに遊技球を排除することができ、遊技球が積み重なることによる検出スイッチ４７の誤検出を防止することができる。
【００４０】
さらに、大入賞室４１の奥面は、左右方向の両端部から中央部に向かうに従って入賞室の奥行きが大きくなるように傾斜しているから、それら傾斜面４５Ａ，４５Ａと室内転動面４４，４４の傾斜とによって、室内転動面４４の遊技球をより速やかに陥没部４３に落下させることができる。
【００４１】
しかも、１対の検出スイッチ４７，４７は、スイッチ本体４７Ａにおける検出孔４７Ｂ側の端部同士を左右方向で突き合わせて配置されているから、前後方向（大入賞室の奥行き方向）における検出スイッチ４７，４７の出っ張りを抑えて、大入賞部４０を前後方向で薄形化することができる。
【００４２】
［他の実施形態］
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
【００４３】
（１）上記実施形態では、大入賞部４０に本発明を適用していたが、遊技板１１の前面に開放した入賞口と、その入賞口を開閉可能な開閉扉とを備えたその他の入賞部（例えば、第２始動入賞部２３）に本発明を適用してもよい。
【００４４】
（２）上記実施形態では、検出孔４７Ｂを２つ備えていたが、３つ以上の検出孔４７Ｂを備えていてもよい。
【００４５】
（３）上記実施形態では、陥没部４３の左右両側の内側面４３Ａ，４３Ａが鉛直面であったが、それら内側面４３Ａ，４３Ａを、比較的急峻な斜面又は湾曲面としてもよい。
【００４６】
（４）上記実施形態では、大入賞室４１の奥面の左右両側に傾斜面４５Ａ，４５Ａを形成していたが、大入賞室４１の奥面を、左右方向の両端部から中央部に向かうに従って大入賞室４１の奥行きが大きくなるように湾曲させてもよい。
【００４７】
（５）上記実施形態では、入賞口（大入賞口４１Ａ）が遊技板１１の前面に開放した構成となっていたが、例えば、遊技板１１の前面から突出しかつ上面が開放したポケット形入球部を入賞室の前方に設けておき、ポケット形入球部の上面開口を入賞口とし、その入賞口を、遊技板１１の前後方向又は左右方向でスライドする開閉扉によって開閉可能としてもよい。
【符号の説明】
【００４８】
１０    パチンコ遊技機
１１    遊技板
４０    大入賞部
４１    大入賞室（入賞室）
４１Ａ    大入賞口（入賞口）
４２    大入賞扉（開閉扉）
４３    陥没部
４３Ａ    内側面
４４    室内転動面
４７    検出スイッチ
４７Ａ    スイッチ本体
４７Ｂ    検出孔
４９    球排出ダクト
５０    仕切壁
５１    球排出通路
【図１】
2014204765.tif 000003
【図２】
2014204765.tif 000004
【図３】
2014204765.tif 000005
【図４】
2014204765.tif 000006
【図５】
2014204765.tif 000007
【図６】
2014204765.tif 000008
【図７】
2014204765.tif 000009
【図８】
2014204765.tif 000010